(57)【特許請求の範囲】
【請求項１】
エレベーターの乗場に設置された乗場操作盤の操作ボタンへの操作により行先階が入力され、複数台のかごの号機の中から当該入力された行先階へ運転する号機が割り当てられると、当該行先階の階床名及び当該割り当てられた割当号機を前記乗場操作盤の表示部に表示するエレベーターの乗場呼び登録装置において、
前記乗場操作盤の前記操作ボタンを構成し、行列状に配置された複数のボタンと、
複数の前記ボタンのそれぞれに内蔵された発光源と、
前記発光源の点灯及び消灯を制御する発光制御部と、を備え、
前記発光制御部は、前記発光源を点灯させることによって前記乗場操作盤における前記操作ボタンの部分に、前記乗場操作盤を基準とする前記割当号機の出入口がある方向を表示することを特徴とするエレベーターの乗場呼び登録装置。
【請求項２】
前記発光制御部は、複数の前記発光源を組み合わせて点灯させることによって、前記乗場操作盤を基準とする前記割当号機の出入口がある方向を表示することを特徴とする請求項１に記載のエレベーターの乗場呼び登録装置。
【請求項３】
前記発光制御部は、前記操作ボタンの部分における発光箇所の形状が、前記乗場操作盤を基準とする前記割当号機の出入口がある方向に凸部を向けた略Ｖ字状となるように前記発光源を点灯させることを特徴とする請求項２に記載のエレベーターの乗場呼び登録装置。
【請求項４】
前記発光制御部は、前記操作ボタンの部分における発光箇所の形状が、前記乗場操作盤を基準とする前記割当号機の出入口がある方向を指す略矢印形状となるように前記発光源を点灯させることを特徴とする請求項２に記載のエレベーターの乗場呼び登録装置。
【請求項５】
前記発光制御部は、前記操作ボタンの部分における発光箇所が、所定の方向に移動するように前記発光源を点灯させることを特徴とする請求項１から請求項４のいずれかに記載のエレベーターの乗場呼び登録装置。
【請求項６】
前記操作ボタンを構成する複数の前記ボタンは、０から９までの１０個の数字ボタンを少なくとも含むテンキーボタンであることを特徴とする請求項１から請求項５のいずれかに記載のエレベーターの乗場呼び登録装置。
【発明の詳細な説明】
【技術分野】
【０００１】
この発明は、エレベーターの乗場呼び登録装置に関するものである。
【背景技術】
【０００２】
従来におけるエレベーターの乗場呼び登録装置においては、かごの行先階を入力するためのテンキーボタン等の操作ボタンを備えており、利用者がこの操作ボタンを操作して所望するかごの行先階を入力することにより、当該行先階への呼びを直接に登録できるようにしたものが知られている。このような乗場呼び登録装置を備えた従来のエレベーターは、乗場においてかごの行先階を指定した行先階呼びが登録されると、複数台あるかごの中から当該登録された行先階呼びへと割り当てるかごの号機を決定する。そして、エレベーターは割り当てた号機を表示や音声によって利用者に報知する。このようなエレベーターのシステムは、乗場から登録された行先階呼びに対する割当かごが当該乗場に到着する前に、予め利用者にこの割当号機を知らせるため、行先予報システムと呼ばれる。【０００３】
このようなエレベーターの行先予報システムにおいては、利用者を割当号機の出入口へと分かりやすく誘導するために、乗場操作盤の近傍に、当該乗場操作盤を基準とした割当号機の出入口への方向を矢印で表示する表示器を設けたものが従来において知られている（例えば、特許文献１参照）。【０００４】
また、乗場操作盤に設けられた表示部に、割当号機の識別記号とともに当該乗場操作盤を基準とした割当号機の出入口への方向を矢印で表示するものも、従来において知られている（例えば、特許文献２参照）。
【先行技術文献】
【特許文献】
【０００５】
【特許文献１】日本特開２００１−３４８１７０号公報
【特許文献２】日本特開平０１−２０３１８９号公報
【発明の概要】
【発明が解決しようとする課題】
【０００６】
しかしながら、特許文献１に示された従来技術においては、割当号機の出入口への方向を矢印で表示する表示器を乗場操作盤とは別体で設けているので、この表示器を別途設けるための設置場所や製作費用が必要となるという課題がある。【０００７】
また、特許文献２に示された従来技術においては、乗場操作盤に設けられた表示部という限られた広さの表示領域において、割当号機の識別記号とともに割当号機の出入口への方向を示す矢印を表示するため、これらの表示の大きさが小さくなってしまい、視認し難いという課題がある。また、乗場操作盤に設けられた表示部の大きさを大きくすると、前述した特許文献１に示された従来技術と同様に、表示部が設置スペースを広く占有してしまうという課題がある。【０００８】
この発明は、このような課題を解決するためになされたもので、追加の設置場所を必要とすることなく、割当号機の出入口の位置を利用者に視覚的に分かりやすく示すことができ、利便性を向上することが可能であるエレベーターの乗場呼び登録装置を得るものである。
【課題を解決するための手段】
【０００９】
この発明に係るエレベーターの乗場呼び登録装置においては、エレベーターの乗場に設置された乗場操作盤の操作ボタンへの操作により行先階が入力され、複数台のかごの号機の中から当該入力された行先階へ運転する号機が割り当てられると、当該行先階の階床名及び当該割り当てられた割当号機を前記乗場操作盤の表示部に表示するエレベーターの乗場呼び登録装置であって、前記乗場操作盤の前記操作ボタンを構成し、行列状に配置された複数のボタンと、複数の前記ボタンのそれぞれに内蔵された発光源と、前記発光源の点灯及び消灯を制御する発光制御部と、を備え、前記発光制御部は、前記発光源を点灯させることによって前記乗場操作盤における前記操作ボタンの部分に、前記乗場操作盤を基準とする前記割当号機の出入口がある方向を表示する構成とする。
【発明の効果】
【００１０】
この発明に係るエレベーターの乗場呼び登録装置においては、追加の設置場所を必要とすることなく、割当号機の出入口の位置を利用者に視覚的に分かりやすく示すことができ、利便性を向上することが可能であるという効果を奏する。
【図面の簡単な説明】
【００１１】
【図１】この発明の実施の形態１に係るエレベーターの乗場の平面図である。
【図２】この発明の実施の形態１に係る乗場操作盤の正面図である。
【図３】この発明の実施の形態１に係るエレベーターの乗場呼び登録装置の全体構成を示すブロック図である。
【図４】この発明の実施の形態１に係るエレベーターの乗場呼び登録装置の行先階入力時の動作を説明する図である。
【図５】この発明の実施の形態１に係るエレベーターの乗場呼び登録装置における乗場操作盤を基準として右方向に割当号機の出入口がある場合の動作を説明する図である。
【図６】この発明の実施の形態１に係るエレベーターの乗場呼び登録装置における乗場操作盤を基準として左方向に割当号機の出入口がある場合の動作を説明する図である。
【図７】この発明の実施の形態１に係るエレベーターの乗場呼び登録装置における乗場操作盤を基準として背面側に割当号機の出入口がある場合の動作を説明する図である。
【図８】この発明の実施の形態１に係るエレベーターの乗場呼び登録装置における乗場操作盤を基準として正面側に割当号機の出入口がある場合の動作を説明する図である。
【図９】この発明の実施の形態１に係るエレベーターの乗場呼び登録装置における乗場操作盤を基準として背面側斜め右方向に割当号機の出入口がある場合の動作を説明する図である。
【図１０】この発明の実施の形態１に係るエレベーターの乗場呼び登録装置における乗場操作盤を基準として背面側斜め左方向に割当号機の出入口がある場合の動作を説明する図である。
【図１１】この発明の実施の形態１に係るエレベーターの乗場呼び登録装置における乗場操作盤を基準として正面側斜め右方向に割当号機の出入口がある場合の動作を説明する図である。
【図１２】この発明の実施の形態１に係るエレベーターの乗場呼び登録装置における乗場操作盤を基準として正面側斜め左方向に割当号機の出入口がある場合の動作を説明する図である。
【発明を実施するための形態】
【００１２】
この発明を添付の図面に従い説明する。各図を通じて同符号は同一部分又は相当部分を示しており、その重複説明は適宜に簡略化又は省略する。
【００１３】
実施の形態１．
図１から図１２は、この発明の実施の形態１に係るもので、図１はエレベーターの乗場の平面図、図２は乗場操作盤の正面図、図３はエレベーターの乗場呼び登録装置の全体構成を示すブロック図、図４はエレベーターの乗場呼び登録装置の行先階入力時の動作を説明する図、図５はエレベーターの乗場呼び登録装置における乗場操作盤を基準として右方向に割当号機の出入口がある場合の動作を説明する図、図６は同じく左方向に割当号機がある場合の動作を説明する図、図７は同じく背面側に割当号機がある場合の動作を説明する図、図８は同じく正面側に割当号機がある場合の動作を説明する図、図９は同じく背面側斜め右方向に割当号機がある場合の動作を説明する図、図１０は同じく背面側斜め左方向に割当号機がある場合の動作を説明する図、図１１は同じく正面側斜め右方向に割当号機がある場合の動作を説明する図、図１２は同じく正面側斜め左方向に割当号機がある場合の動作を説明する図である。
【００１４】
図１において、１は、エレベーターの乗場である。このエレベーターは、複数台数のかごの号機２を有している。そして、乗場１には、これら複数のかごの号機２それぞれの出入口が設けられている。ここでは、かごの号機２は８台あるとし、それぞれのかごの号機２を識別するため、各かごの号機２には、Ａ〜Ｈのアルファベットからなる識別記号が割り振られている。
【００１５】
Ａ〜Ｄ号機の４台の出入口は、図１の図面に向かって上側の乗場１の壁面に設けられている。これらＡ〜Ｄ号機の出入口は、図１の図面に向かって左側からＡ、Ｂ、Ｃ、Ｄ号機の順で配置されている。また、Ｅ〜Ｈ号機の４台の出入口は、図１の図面に向かって下側の乗場１の壁面に設けられている。これらＥ〜Ｈ号機の出入口は、図１の図面に向かって左側からＥ、Ｆ、Ｇ、Ｈ号機の順で配置されている。
【００１６】
図面に向かって上側の乗場１の壁面には、乗場操作盤３が設置されている。ここでは、乗場操作盤３はＢ号機とＣ号機との間に正面を反壁面側に向けて配置されているとする。この乗場操作盤３の正面図を図２に示す。乗場操作盤３には、操作ボタン４及び表示器５が設けられている。操作ボタン４は、乗場１にいるエレベーターの利用者が、所望する行先階を入力するためのものである。この操作ボタン４は、行先階を指定するための複数のボタンの集合で構成されている。これら複数のボタンは行列（マトリクス）状に配置されている。すなわち、縦方向（行方向）に所定の複数個のボタンが並べられるとともに、横方向（列方向）にも縦方向と同一又は異なる所定の複数個のボタンが並べられている。
【００１７】
ここでは、操作ボタン４はテンキーボタンで構成されている。すなわち、操作ボタン４を構成する複数のボタンには、少なくとも０〜９の１０個の数字ボタンが含まれている。そして、図２に示すように、上から１行目（最上行）に図面に向かって左から「７」、「８」、「９」の順に３つのボタンが配置されている。そして、その下の２行目には同じく左から「４」、「５」、「６」の順に３つのボタンが、３行目には同じく左から「１」、「２」、「３」のキーが、それぞれ配置されている。
【００１８】
また、操作ボタン４の４行目（最下行）には、同じく左から「−」、「０」、「Ｍ」のボタンが配置され、操作ボタン４は、縦に４個、横に３個の計１２個のボタンが行列状に配置されて構成されている。エレベーターの利用者は、操作ボタン４を構成するテンキーボタンの１又は複数のボタンを組み合わせて操作することにより、所望する行先階を入力することができる。なお、「−」は地下階を指定するためのボタンであり、「Ｍ」は、例えば、「２Ｍ階（中二階）」等の主要な階床の中間に設けられた階を指定するためのボタンである。
【００１９】
表示器５は、操作ボタン４の操作により入力された行先階、及び、当該行先階に対して割り当てられたかごの号機２の識別記号を表するものである。この表示器５は、例えば、液晶ディスプレイ（ＬＣＤ）や発光ダイオード（ＬＥＤ）等の既知の技術を適宜用いて構成することができる。
【００２０】
図３にエレベーターの乗場呼び登録装置の全体構成を示す。既に説明したように、乗場１に設置された乗場操作盤３には、操作ボタン４及び表示器５が備えられている。操作ボタン４を構成する各ボタンのそれぞれには、発光ダイオード（ＬＥＤ）等からなるボタン灯４ａが内蔵されている。操作ボタン４は、この内蔵されたボタン灯４ａが発する光を透過する材質で構成されている。従って、点灯したボタン灯４ａが発する光を、ボタンの外部から利用者が視認できるようになっている。操作ボタン４を構成する各ボタンに内蔵されたこれらのボタン灯４ａのそれぞれの点灯／消灯は、乗場操作盤３が備えるボタン灯制御部６により制御される。
【００２１】
利用者が乗場操作盤３の操作ボタン４を操作して入力された行先階の情報（行先階情報８）は、エレベーター管理システム７へと送信される。このエレベーター管理システム７は、各かごの号機２の運行を含むエレベーターの運転動作全般の管理制御を司るものである。エレベーター管理システム７は、乗場操作盤３から送信された行先階情報８に基づいて、この行先階情報８が示す行先階への呼びを登録する。
【００２２】
エレベーター管理システム７は、登録した行先階呼びに割り当てる（つまり、行先階へと運転する）号機を、Ａ〜Ｈのかごの号機２のうちから決定する。この割当号機の決定は、例えば、かごの号機２の全てを総合した運転効率等を考慮して行われる。エレベーター管理システム７において決定された割当号機が複数のかごの号機２のうちのどの号機であるのかという情報（割当号機情報９）は、エレベーター管理システムから乗場操作盤３へと返送される。乗場操作盤３は、エレベーター管理システム７から送信された割当号機情報９の示すかごの号機２の識別記号を表示器５に表示する。
【００２３】
操作ボタン４が利用者により操作された際に、表示器５に割当号機の識別記号を表示するまでの、乗場呼び登録装置の動作を図４に示す。まず、何も操作されていない初期状態においては、ボタン灯４ａは全て消灯されており、表示器５には何も表示されていない。操作ボタン４が利用者により操作されると、ボタン灯制御部６は、当該操作された操作ボタン４（ここでは、「７」ボタンとする）に内蔵されたボタン灯４ａを点灯させる。このボタン灯４ａは所定時間後に消灯される。また、表示器５には、当該操作された操作ボタン４を示す「７」の文字が表示される。そして、エレベーター管理システム７から送信された割当号機情報９を受信すると、表示器５には、行先階の階床名（ここでは「７」）と当該行先階に対する割当号機（ここでは「Ｆ」）とが併せて表示される。
【００２４】
再び図３に戻り、また、乗場操作盤３が備える位置マップ記憶部１０には、乗場１にあるかごの号機２の出入口のそれぞれについての乗場操作盤３を基準とした位置の情報である位置マップが、予め記憶されている。エレベーター管理システム７から送信された割当号機情報９は、表示器５だけでなく、位置マップ記憶部１０にも入力される。割当号機情報９の入力を受けた位置マップ記憶部１０は、位置マップを参照し、乗場操作盤３を基準とする割当号機情報９の示すかごの号機２（割当号機）の出入口がある位置の情報（号機位置情報１１）をボタン灯制御部６へと出力する。
【００２５】
号機位置情報１１の入力を受けたボタン灯制御部６は、この入力された号機位置情報１１に基づいて、乗場操作盤３を基準とする割当号機の出入口がある方向を、ボタン灯４ａを点灯させることによって操作ボタン４部分において表示する。図５から図１２に、この、ボタン灯４ａを点灯させて操作ボタン４部分において乗場操作盤３を基準とする割当号機の出入口がある方向を表示する動作を示す。これらの図５から図１２に示した表示動作は、図４に示した割当号機の表示の後に続いて、又は、図４に示した割当号機の表示と同時に、開始される。
【００２６】
まず、図５に、割当号機の出入口が乗場操作盤３を基準として右方向にある場合、すなわち、乗場操作盤３の正面に向き合った利用者の右手側に割当号機の出入口がある場合を示す。ここでは、乗場操作盤３を基準として右方向に出入口があるかごの号機２として例えばＣ号機が割当号機となった場合について示している。
【００２７】
この場合には、ボタン灯制御部６は、まず、操作ボタン４のうち「１」、「５」、「７」の各ボタンに内蔵されたボタン灯４ａをそれぞれ点灯させて、操作ボタン４部分において発光した箇所が、凸部を右に向けた略Ｖ字状となるように、複数のボタン灯４ａを組み合わせて表示する（図５の状態５（ａ））。
【００２８】
次に、ボタン灯制御部６は、状態５（ａ）で点灯させていた「１」、「５」、「７」の各ボタンに内蔵されたボタン灯４ａを消灯させて、操作ボタン４のうち「２」、「６」、「８」の各ボタンに内蔵されたボタン灯４ａをそれぞれ点灯させる。こうして、状態５（ａ）で操作ボタン４部分において発光した箇所の形状（凸部を右に向けた略Ｖ字状）を保ったまま、その表示位置が右方向に平行移動される（スライドされる）（状態５（ｂ））。
【００２９】
そして、ボタン灯制御部６は、状態５（ｂ）で点灯させていた「２」、「６」、「８」の各ボタンに内蔵されたボタン灯４ａを所定回数点滅させた後、消灯させる（状態５（ｃ））。以上の状態５（ａ）から状態５（ｃ）の表示動作を、１回のみ行ってもよいし、所定の回数又は所定の時間の間、繰り返すようにしてもよい。
【００３０】
次に、図６に、割当号機の出入口が乗場操作盤３を基準として左方向にある場合、すなわち、乗場操作盤３の正面に向き合った利用者の左手側に割当号機の出入口がある場合を示す。ここでは、乗場操作盤３を基準として左方向に出入口があるかごの号機２として例えばＢ号機が割当号機となった場合について示している。
【００３１】
この場合には、ボタン灯制御部６は、まず、操作ボタン４のうち「３」、「５」、「９」の各ボタンに内蔵されたボタン灯４ａをそれぞれ点灯させて、操作ボタン４部分において発光した箇所が、凸部を左に向けた略Ｖ字状となるように、複数のボタン灯４ａを組み合わせて表示する（図６の状態６（ａ））。
【００３２】
次に、ボタン灯制御部６は、状態６（ａ）で点灯させていた「３」、「５」、「９」の各ボタンに内蔵されたボタン灯４ａを消灯させて、操作ボタン４のうち「２」、「４」、「８」の各ボタンに内蔵されたボタン灯４ａをそれぞれ点灯させる。こうして、状態６（ａ）で操作ボタン４部分において発光した箇所の形状を保ったまま、その表示位置が左方向に平行移動される（状態６（ｂ））。
【００３３】
そして、ボタン灯制御部６は、状態６（ｂ）で点灯させていた「２」、「４」、「８」の各ボタンに内蔵されたボタン灯４ａを所定回数点滅させた後、消灯させる（状態６（ｃ））。
【００３４】
図７に、割当号機の出入口が乗場操作盤３を基準として背面側にある場合、すなわち、乗場操作盤３の正面に向き合った利用者の前方側に割当号機の出入口がある場合を示す。ここでは、乗場操作盤３を基準として背面側に出入口があるかごの号機２として例えばＡ号機が割当号機となった場合について示している。
【００３５】
この場合には、ボタン灯制御部６は、まず、操作ボタン４のうち「２」、「−」、「Ｍ」の各ボタンに内蔵されたボタン灯４ａをそれぞれ点灯させて、操作ボタン４部分において発光した箇所が、凸部を上に向けた略Ｖ字状となるように、複数のボタン灯４ａを組み合わせて表示する（図７の状態７（ａ））。
【００３６】
次に、ボタン灯制御部６は、状態７（ａ）で点灯させていた「２」、「−」、「Ｍ」の各ボタンに内蔵されたボタン灯４ａを消灯させて、操作ボタン４のうち「１」、「３」、「５」の各ボタンに内蔵されたボタン灯４ａをそれぞれ点灯させる。こうして、状態７（ａ）で操作ボタン４部分において発光した箇所の形状を保ったまま、その表示位置が上方向に平行移動される（状態７（ｂ））。
【００３７】
続いて、ボタン灯制御部６は、状態７（ｂ）で点灯させていた「１」、「３」、「５」の各ボタンに内蔵されたボタン灯４ａを消灯させて、操作ボタン４のうち「４」、「６」、「８」の各ボタンに内蔵されたボタン灯４ａをそれぞれ点灯させる。こうして、状態７（ｂ）で操作ボタン４部分において発光した箇所の形状を保ったまま、その表示位置がさらに上方向に平行移動される（状態７（ｃ））。
【００３８】
そして、ボタン灯制御部６は、状態７（ｃ）で点灯させていた「４」、「６」、「８」の各ボタンに内蔵されたボタン灯４ａを所定回数点滅させた後、消灯させる（状態７（ｄ））。
【００３９】
図８に、割当号機の出入口が乗場操作盤３を基準として正面側にある場合、すなわち、乗場操作盤３の正面に向き合った利用者の後方側に割当号機の出入口がある場合を示す。ここでは、乗場操作盤３を基準として正面側に出入口があるかごの号機２として例えばＧ号機が割当号機となった場合について示している。
【００４０】
この場合には、ボタン灯制御部６は、まず、操作ボタン４のうち「５」、「７」、「９」の各ボタンに内蔵されたボタン灯４ａをそれぞれ点灯させて、操作ボタン４部分において発光した箇所が、凸部を下に向けた略Ｖ字状となるように、複数のボタン灯４ａを組み合わせて表示する（図８の状態８（ａ））。
【００４１】
次に、ボタン灯制御部６は、状態８（ａ）で点灯させていた「５」、「７」、「９」の各ボタンに内蔵されたボタン灯４ａを消灯させて、操作ボタン４のうち「２」、「４」、「６」の各ボタンに内蔵されたボタン灯４ａをそれぞれ点灯させる。こうして、状態８（ａ）で操作ボタン４部分において発光した箇所の形状を保ったまま、その表示位置が下方向に平行移動される（状態８（ｂ））。
【００４２】
続いて、ボタン灯制御部６は、状態８（ｂ）で点灯させていた「２」、「４」、「６」の各ボタンに内蔵されたボタン灯４ａを消灯させて、操作ボタン４のうち「０」、「１」、「３」の各ボタンに内蔵されたボタン灯４ａをそれぞれ点灯させる。こうして、状態８（ｂ）で操作ボタン４部分において発光した箇所の形状を保ったまま、その表示位置がさらに下方向に平行移動される（状態８（ｃ））。
【００４３】
そして、ボタン灯制御部６は、状態８（ｃ）で点灯させていた「０」、「１」、「３」の各ボタンに内蔵されたボタン灯４ａを所定回数点滅させた後、消灯させる（状態８（ｄ））。
【００４４】
上で述べた図７の表示動作は、割当号機の出入口が乗場操作盤３を基準として背面側にあることを示すものであるが、乗場操作盤３の背面側に出入口があるかごの号機２の数が多くなってしまう場合が考えられる。例えば、ここで説明している例では、乗場操作盤３の背面側に出入口があるかごの号機２はＡ〜Ｄ号機の４台ある。そこで、次の図９及び図１０に示すのは、割当号機の出入口が乗場操作盤３を基準として背面側の左右どちらにあるのかをも、利用者に伝達することができるように表示するものである。
【００４５】
まず、図９に、割当号機の出入口が乗場操作盤３を基準として背面側斜め右方向にある場合、すなわち、乗場操作盤３の正面に向き合った利用者の前方側斜め右方向に割当号機の出入口がある場合を示す。ここでは、乗場操作盤３を基準として背面側斜め右方向に出入口があるかごの号機２として例えばＤ号機が割当号機となった場合について示している。
【００４６】
この場合には、ボタン灯制御部６は、まず、操作ボタン４のうち「１」ボタンに内蔵されたボタン灯４ａを点灯させる（図９の状態９（ａ））。次に、操作ボタン４のうち状態９（ａ）で点灯させていた「１」ボタンの上方斜め右に隣接する「５」ボタンに内蔵されたボタン灯４ａを、さらに点灯させる。（状態９（ｂ））。
【００４７】
続いて、ボタン灯制御部６は、状態９（ｂ）で点灯させていた「１」、「５」の各ボタンに内蔵されたボタン灯４ａに加えて、操作ボタン４のうち「３」、「６」、「７」、「８」、「９」の各ボタンに内蔵されたボタン灯４ａを、それぞれさらに点灯させる。こうして、操作ボタン４部分において発光した箇所が、上方斜め右方向を指す略矢印形状となるように、複数のボタン灯４ａを組み合わせて表示する（状態９（ｃ））。
【００４８】
そして、ボタン灯制御部６は、状態９（ｃ）で点灯させていた「１」、「３」、「５」、「６」、「７」、「８」、「９」の各ボタンに内蔵されたボタン灯４ａを所定回数点滅させた後、消灯させる（状態９（ｄ））。
【００４９】
次に、図１０に、割当号機の出入口が乗場操作盤３を基準として背面側斜め左方向にある場合、すなわち、乗場操作盤３の正面に向き合った利用者の前方側斜め左方向に割当号機の出入口がある場合を示す。ここでは、乗場操作盤３を基準として背面側斜め左方向に出入口があるかごの号機２として例えばＡ号機が割当号機となった場合について示している。
【００５０】
この場合には、ボタン灯制御部６は、まず、操作ボタン４のうち「３」ボタンに内蔵されたボタン灯４ａを点灯させる（図１０の状態１０（ａ））。次に、操作ボタン４のうち状態１０（ａ）で点灯させていた「３」ボタンの上方斜め左に隣接する「５」ボタンに内蔵されたボタン灯４ａを、さらに点灯させる。（状態１０（ｂ））。
【００５１】
続いて、ボタン灯制御部６は、状態１０（ｂ）で点灯させていた「３」、「５」の各ボタンに内蔵されたボタン灯４ａに加えて、操作ボタン４のうち「１」、「４」、「７」、「８」、「９」の各ボタンに内蔵されたボタン灯４ａを、それぞれさらに点灯させる。こうして、操作ボタン４部分において発光した箇所が、上方斜め左方向を指す略矢印形状となるように、複数のボタン灯４ａを組み合わせて表示する（状態１０（ｃ））。
【００５２】
そして、ボタン灯制御部６は、状態１０（ｃ）で点灯させていた「１」、「３」、「４」、「５」、「７」、「８」、「９」の各ボタンに内蔵されたボタン灯４ａを所定回数点滅させた後、消灯させる（状態１０（ｄ））。
【００５３】
図９及び図１０と同様に、図１１及び図１２に示すのは、割当号機の出入口が乗場操作盤３を基準として正面側の左右どちらにあるのかをも、利用者に伝達することができるように表示するものである。
【００５４】
まず、図１１に、割当号機の出入口が乗場操作盤３を基準として正面側斜め右方向にある場合、すなわち、乗場操作盤３の正面に向き合った利用者の後方側斜め右方向に割当号機の出入口がある場合を示す。ここでは、乗場操作盤３を基準として正面側斜め右方向に出入口があるかごの号機２として例えばＨ号機が割当号機となった場合について示している。
【００５５】
この場合には、ボタン灯制御部６は、まず、操作ボタン４のうち「４」ボタンに内蔵されたボタン灯４ａを点灯させる（図１１の状態１１（ａ））。次に、操作ボタン４のうち状態１１（ａ）で点灯させていた「４」ボタンの下方斜め右に隣接する「２」ボタンに内蔵されたボタン灯４ａを、さらに点灯させる。（状態１１（ｂ））。
【００５６】
続いて、ボタン灯制御部６は、状態１１（ｂ）で点灯させていた「２」、「４」の各ボタンに内蔵されたボタン灯４ａに加えて、操作ボタン４のうち「０」、「３」、「６」、「−」、「Ｍ」の各ボタンに内蔵されたボタン灯４ａを、それぞれさらに点灯させる。こうして、操作ボタン４部分において発光した箇所が、下方斜め右方向を指す略矢印形状となるように、複数のボタン灯４ａを組み合わせて表示する（状態１１（ｃ））。
【００５７】
そして、ボタン灯制御部６は、状態１１（ｃ）で点灯させていた「０」、「２」、「３」、「４」、「６」、「−」、「Ｍ」の各ボタンに内蔵されたボタン灯４ａを所定回数点滅させた後、消灯させる（状態１１（ｄ））。
【００５８】
次に、図１２に、割当号機の出入口が乗場操作盤３を基準として正面側斜め左方向にある場合、すなわち、乗場操作盤３の正面に向き合った利用者の後方側斜め左方向に割当号機の出入口がある場合を示す。ここでは、乗場操作盤３を基準として正面側斜め左方向に出入口があるかごの号機２として例えばＥ号機が割当号機となった場合について示している。
【００５９】
この場合には、ボタン灯制御部６は、まず、操作ボタン４のうち「６」ボタンに内蔵されたボタン灯４ａを点灯させる（図１２の状態１２（ａ））。次に、操作ボタン４のうち状態１２（ａ）で点灯させていた「６」ボタンの下方斜め左に隣接する「２」ボタンに内蔵されたボタン灯４ａを、さらに点灯させる。（状態１２（ｂ））。
【００６０】
続いて、ボタン灯制御部６は、状態１２（ｂ）で点灯させていた「２」、「６」の各ボタンに内蔵されたボタン灯４ａに加えて、操作ボタン４のうち「０」、「１」、「４」、「−」、「Ｍ」の各ボタンに内蔵されたボタン灯４ａを、それぞれさらに点灯させる。こうして、操作ボタン４部分において発光した箇所が、下方斜め左方向を指す略矢印形状となるように、複数のボタン灯４ａを組み合わせて表示する（状態１２（ｃ））。
【００６１】
そして、ボタン灯制御部６は、状態１２（ｃ）で点灯させていた「０」、「１」、「２」、「４」、「６」、「−」、「Ｍ」の各ボタンに内蔵されたボタン灯４ａを所定回数点滅させた後、消灯させる（状態１２（ｄ））。
【００６２】
なお、以上においては、操作ボタン４をテンキーボタンで構成した場合について説明したが、操作ボタン４を行先階として選択可能である各階床に対応して設けられた行先階ボタンで構成することも可能である。
【００６３】
以上のように構成されたエレベーターの乗場呼び登録装置は、乗場操作盤の操作ボタンを、行列状に配置された複数のボタンで構成し、これら複数のボタンのそれぞれに内蔵された発光源（ボタン灯４ａ）と、これらの発光源の点灯及び消灯を制御する発光制御部（ボタン灯制御部６）と、を備えたものである。そして、この発光制御部は、発光源を点灯させることによって乗場操作盤における操作ボタンの部分に、乗場操作盤を基準とする割当号機の出入口がある方向を表示する。
【００６４】
このため、追加の設置場所を必要とすることなく、割当号機の出入口の位置を利用者に視覚的に分かりやすく示すことができ、利便性を向上することが可能である。
【００６５】
また、発光制御部は、操作ボタンの部分における発光箇所が、所定の方向に移動するように発光源を点灯させるようにしたことで、利用者の視覚に訴える効果が増して、さらに利便性を向上することができる。
【産業上の利用可能性】
【００６６】
この発明は、乗場操作盤の操作ボタンへの操作により行先階が入力され、複数台のかごの号機の中から行先階へ運転する号機が割り当てられると、行先階の階床名及び割当号機を乗場操作盤の表示部に表示するエレベーターの乗場呼び登録装置に利用できる。
【符号の説明】
【００６７】
１    乗場
２    かごの号機
３    乗場操作盤
４    操作ボタン
４ａ  ボタン灯
５    表示器
６    ボタン灯制御部
７    エレベーター管理システム
８    行先階情報
９    割当号機情報
１０    位置マップ記憶部
１１    号機位置情報
【図１】
0005574048.tif 000002
【図２】
0005574048.tif 000003
【図３】
0005574048.tif 000004
【図４】
0005574048.tif 000005
【図５】
0005574048.tif 000006
【図６】
0005574048.tif 000007
【図７】
0005574048.tif 000008
【図８】
0005574048.tif 000009
【図９】
0005574048.tif 000010
【図１０】
0005574048.tif 000011
【図１１】
0005574048.tif 000012
【図１２】
0005574048.tif 000013